(57)【特許請求の範囲】
【請求項１】
不織布の単体、又は、内側面に不織布を接着した板紙を用いて、上部に開口した挿入口よりＣＤを挿入でき、且つ、その縦幅を挿入するＣＤの直径と同一寸法に形成した全体が偏平な袋状容器体を構成し、この袋状容器体の底縁には挿入したＣＤの下端縁を嵌込んで、ＣＤの下端縁を袋状容器体の底面と同一面にすることができる嵌込穴を切欠形成すると共に、当該袋状容器体を、縦幅をＣＤの直径と同一寸法に形成し、且つ、全体を上記袋状容器体の表裏をカバーできるように二つ折り、又は、三つ折りに形成した板紙製の台紙に接着して、この台紙によって表裏がカバーされたＣＤ入りの袋状容器体を、薄いプラスチックフイルムで造った郵送用の封筒に封入して郵送するように構成したことを特徴とするＣＤ郵送用容器。
【発明の詳細な説明】
【０００１】
【発明の属する技術分野】
本発明は、コンパクトディスク（以下単にＣＤと云う）を郵送する場合に用いて好適なＣＤ郵送用容器に関するものである。
【０００２】
【従来の技術】
最近パソコンが急速に普及し、特に一般家庭にまで浸透しつつあり、而かも、ＣＤ−ＲＯＭの駆動装置を備えたパソコンに人気が集中している。
【０００３】
この事から、ＣＤ−ＲＯＭの用途が広がりつつあり、従来はカタログ等の書籍の形態で需要家個人宛に送られていた印刷物にとって変って、ＣＤ−ＲＯＭカタログがプラスチック製の保護ケースに収められてダイレクトメールで個人宛に送られるようになっている。
【０００４】
しかし、ＣＤ−ＲＯＭを郵送する場合、従来の様にプラスチック製の保護ケースに収めて封書で送ると、重量が５０ｇを超え、寸法も定形外になつてしまうため、最低でも（１９０円）の郵送料が掛ってしまう問題があった。
【０００５】
即ち、国内郵便料金規定によると、第一種（封書）定形郵便物は、長さが１４〜２３．５ｃｍ、幅が９〜１２ｃｍ、厚さが１ｃｍまでで、重量５０ｇまでの料金が（９０円）に定められているが、ＣＤの直径は１２ｃｍであるから、これを従来のようにプラスチック製保護ケースに収めて封書で送った場合には、寸法は定形外郵便物となってしまい、重量も５０ｇを超えてしまうため、最低でも（１９０円）の料金が掛ることになるのである。
【０００６】
加えて、プラスチック製保護ケースは郵送途中での破損事故が多く、これを防ぐためにクッション封筒を使うと更にコストが増大して、１枚のＣＤ−ＲＯＭを郵送するのに（３００円）以上のコストが掛ってしまう問題があった。
【０００７】
そこで、従来のプラスチック製保護ケースに代えて、図８の断面図に示すような板紙で袋状に造った容器体２０を用いて、これにＣＤ１０を収めて封書で送ることが考えられた。
【０００８】
【発明が解決しようとする課題】
板紙で造った容器体２０は軽量で、ＣＤ１０を含めても重量が５０ｇを超えることがなく、また、従来のプラスチック製保護ケースに比較して製造コストを安くすることができ、且つ、全体に柔軟性があって郵送途中での破損事故も可及的に少くすることができるため、ＣＤ−ＲＯＭを比較的低コストで郵送できる利点を備えている。
【０００９】
しかし、ＣＤ１０の直径Ｌは１２ｃｍであり、このＣＤ１０を収容する容器体２０には底面に袋状の折り返し部２０ａが設けられているため、ＣＤ１０を収める容器体２０の縦幅は、その寸法が最低でも直径Ｌに折り返し部２０ａの寸法αを加えたＬ＋αになって、前述した第一種定形郵便物の規定最大幅１２ｃｍを超えてしまうため、ＣＤ−ＲＯＭを第一種定形郵便の料金（９０円）では郵送することができず、第一種定形外の料金（１３０円又は１９０円）で送らなくてはならない不経済性があつた。
【００１０】
従って本発明の技術的課題は、直径が１２ｃｍのＣＤを第一種定形郵便の料金（９０円）の範囲内で郵送することができるＣＤ郵送用容器を提供することである。
【００１１】
【課題を解決するための手段】
上記の技術的課題を解決するために本発明に係るＣＤ郵送用容器は、不織布の単体、又は、内側面に不織布を接着した板紙を用いて、上部に開口した挿入口よりＣＤを挿入でき、且つ、その縦幅を挿入するＣＤの直径と同一寸法に形成した全体が偏平な袋状容器体を構成し、この袋状容器体の底縁には挿入したＣＤの下端縁を嵌込んで、ＣＤの下端縁を袋状容器体の底面と同一面にすることができる嵌込穴を切欠形成すると共に、当該袋状容器体を、縦幅をＣＤの直径と同一寸法に形成し、且つ、全体を上記袋状容器体の表裏をカバーできるように二つ折り、又は、三つ折りに形成した板紙製の台紙に接着して、この台紙によって表裏がカバーされたＣＤ入りの袋状容器体を、薄いプラスチックフイルムで造った郵送用の封筒に封入して郵送するように構成したことを特徴としている。
【００１２】
上記の手段によれば、不織布の単体、又は、内側面に不織布を接着した板紙を用いて構成した袋状容器体の底縁に嵌込穴を切欠形成し、この嵌込穴にＣＤの下端縁を嵌込んで、袋状容器体の底面とＣＤの下端縁とを同一面（ツライチ）にすることによって、袋状容器体の縦幅を第一種定形郵便物の規定寸法１２ｃｍに抑えることができるから、この袋状容器体を用いてＣＤ−ＲＯＭを第一種定形郵便の料金（９０円）の範囲内で郵送することを可能にする。
【００１３】
更に上記の手段によれば、ＣＤを収めた袋状容器体の表裏を、ＣＤの直径、即ち、袋状容器体と同じ縦幅寸法の板紙製台紙によってカバーすると共に、この袋状容器体を収めた板紙製台紙を折畳んで薄いプラスチック製の封筒（厚さミクロン単位）に封入して郵送するため、封書の大きさが第一種定形郵便物の規定寸法１２ｃｍを超えることがなく、従って、ＣＤ−ＲＯＭを第一種定形郵便料金（９０円）の範囲内で安全に郵送することを可能にする。
【００１４】
【発明の実施の形態】
以下に、本発明の実施の形態を図面の記載に基づいて詳細に説明すると、図１並びに図２はいずれも本発明に係るＣＤ郵送用容器の構成を説明した斜視図であって、これ等の図面に於いて符号１で全体的に示したのは板紙で二つ折り又は三つ折り式に構成した台紙で、同じく符号２で全体的に示したのはこの台紙１の内側面に接着した不織布の単体、又は、内側面に不織布を接着した板紙を用いて構成した袋状容器体（パッケージ）を示す。
【００１５】
図５は上記袋状容器体２の展開図を示したものであって、不織布の単体、又は、内側面（裏面）にＣＤ保護用の不織布３を接着した板紙を用いて全体を偏平な袋状に構成したこの容器体２は、底部折り線２Ｃを挟んでその上下に連設した表裏２枚の袋板２Ａ，２Ｂと、表面袋板２Ａの左右両側に折り線２Ｄａ，２Ｄａを介して連設した左右の糊代片２Ｄ，２Ｄによって構成されていて、上記底部折り線２Ｃの中央部分には嵌込穴２Ｈが切欠形成されている。
【００１６】
尚、袋状容器体２の全体を不織布の単体で造る場合は、熱溶着によって袋状に加工するため、上記の糊代片２Ｄ，２Ｄは不要になる。
【００１７】
以上の如く構成した表裏２枚の袋板２Ａ，２Ｂの縦幅寸法Ｌは、いずれも符号１０で示したＣＤの直径と同一寸法、即ち、１２ｃｍに形成され、また、各袋板２Ａ，２Ｂの横幅寸法Ｌ＋ｘは、ＣＤ１０の直径よりも若干広い１２．５ｃｍ程度に形成されている。
【００１８】
以上の如く構成した袋状容器体２は、表裏の袋板２Ａ，２Ｂを底部折り線２Ｃで前後二重に二つ折りし、次いで左右の糊代片２Ｄ，２Ｄを折り線２Ｄａ，２Ｄａで内折りして、この内折りした糊代片２Ｄ，２Ｄの外面を図６に示した台紙１の一番右端の取付台紙板１Ａの接着面１ＡＴに接着することによって、図７に示した断面図の如く上部に挿入口２Ｙを開口し、底部中央に嵌込穴２Ｈを開口した偏平な袋状に構成されている。
【００１９】
図１並びに図６に示した台紙１は、取付台紙板１Ａにマチ１Ｂを介してカバー台紙１Ｃを二つ折り自在に連設した構造に成っていて、因みにこの台紙１の縦幅寸法Ｌは上記袋状容器体２の縦幅寸法Ｌと同じ１２ｃｍに形成され、且つ、取付台紙板１Ａとカバー台紙板１Ｃの横幅寸法Ｙ，Ｙは、１４ｃｍ〜２３．５ｃｍの範囲内に形成され、更に、マチ１Ｂの寸法Ｈは１ｃｍ以内に形成されていて、ＣＤ１０を収めた袋状容器体２の表裏を二つ折りしたカバー台紙板１Ｃと取付台紙板１Ａでカバーする仕組みに成っている。
【００２０】
ま、図２に記載した台紙１は、袋状容器体２を接着した取付台紙板１Ａに、マチ１Ｂを介して表面カバー台紙板１Ｃを連設し、更に、この表面カバー台紙板１Ｃにマチ１Ｄを介して裏面カバー台紙板１Ｅを連設した二つ折り構造に造られていて、ＣＤ１０を収めた袋状容器体２の表裏を三つ折りした表面と裏面の各カバー台紙板１Ｃ，１Ｅと、取付台紙板１Ａによってカバーするように構成されている。
【００２１】
尚、上記三つ折り式に構成した台紙１の各台紙板１Ａ，１Ｃ，１Ｅと、各マチ１Ｂ，１Ｄの寸法は、図６に示した二つ折り式台紙１の各寸法と同一に形成されていて、いずれもその外形寸法が前述した第一種定形郵便物の規定寸法を超えない大きさに構成されている。
【００２２】
図３に於いて、５はＯＰＰフイルム又はＣＰＰフイルムと云ったミクロン単位の薄いプラスチツクフイルムを用いて構成した郵送用の封筒であって、以上の如く台紙１に取付けた袋状容器体２にＣＤ１０を収め、その表裏を台紙１でカバーしたパッケージをこの封筒５の内部に収め、蓋５ａをして口のり５ｂで接着すれば、ＣＤ１０をそのまま封書で郵送することができ、また、この封筒５の厚味はミクロン単位であるため、封書にした郵便物は図４に示す如くその縦幅寸法Ｌを１２ｃｍの範囲内に収めることができる。
【００２３】
本発明に係るＣＤ郵送用容器は以上述べた如き構成であって、ＣＤ１０を収める袋状容器体２の底面には、差込んだＣＤ１０の下端縁１０ａを嵌込む嵌込穴２Ｈが形成されていて、差込んだＣＤ１０の下端縁１０ａと袋状容器体２の底面を同一面にすることができるから、ＣＤ１０を縦幅を１２ｃｍに形成した袋状容器体２の内部に完全に収納し、その表裏両面を同じく縦幅を１２ｃｍに構成した台紙１でカバーして、これをプラスチックフイルムで造った封筒５に封入することにより、第一種定形郵便物しとて料金（９０円）で郵送することができる。
【００２４】
また、袋状容器体２に入れたＣＤ１０を保護する二つ折り、又は、三つ折り式の台紙１には、ＣＤ１０の内容や取扱い事項等を印刷できると共に、この台紙１のデザインを工夫することによってＣＤ１０の商品価値をより高めることができる。
【００２５】
尚、本発明では袋状容器体２に収容したＣＤ１０の下端縁１０ａが嵌込穴２Ｈより外部に露出することになるが、ＣＤ１０の外周１ｍｍ幅の部分は信号が刻まれていない空白部であるため、上記の露出によってＣＤ１０の記録内容に直接影響を与えることはない。
【００２６】
【発明の効果】
以上述べた次第で、本発明に係るＣＤ郵送用容器を使用すれば、ＣＤ−ＲＯＭを（９０円）の第一種定形郵便料金で、而かも、ＣＤの記録内容を痛めることなく安全に郵送することができるものであって、特に、ダイレクトメールの部数は通常何万部、何十万部という数であるから、本発明によって一部当り（１００円〜２００円）の郵送料を節約して、発送元にとって大きな利益をもたらす経済性を発揮でき、ＣＤ−ＲＯＭの郵送に利用して洵に好適なものである。
【図面の簡単な説明】
【図１】  本発明に係るＣＤ郵送用容器の構成を説明した斜視図である。
【図２】  本発明の他の実施例に係るＣＤ郵送用容器の構成を説明した斜視図である。
【図３】  ＣＤを収めた本発明に係る容器を封筒に入れる状態を説明した斜視図である。
【図４】  封筒に入れた本発明に係るＣＤ郵送用容器の状態を説明した構成図である。
【図５】  本発明で使用する袋状容器体の展開図である。
【図６】  袋状容器体を台紙に接着する状態を説明した構成図である。
【図７】  図６に示した袋状容器体のＸ−Ｘ線に沿った拡大断面図である。
【図８】  従来の袋状容器体の断面図である。
【符号の説明】
１                台紙
２                袋状容器体
２Ｈ              嵌込溝
２Ｙ              挿入口
３                不織布
５                プラスチックフイルムで造った封筒
１０              ＣＤ
１０ａ            下端縁
【図１】
0003720089.tif 000002
【図２】
0003720089.tif 000003
【図３】
0003720089.tif 000004
【図４】
0003720089.tif 000005
【図５】
0003720089.tif 000006
【図６】
0003720089.tif 000007
【図７】
0003720089.tif 000008
【図８】
0003720089.tif 000009